(57)【特許請求の範囲】
【請求項１】
使用者に把持されるグリップユニットと、コーキング材が充填されるカートリッジを保持するように前記グリップユニットから延伸して設けられたホルダーとを具えているコーキングガンであって、
前記グリップユニットは、射出成形されたプラスチック材料からなる本体部と、前記本体部に枢設されているトリガー部と、前記本体部に摺動可能に支持されているピストンロッドおよび前記ピストンロッドの一端に設けられている押圧プレートを有するピストン部と、を有しており、
前記ホルダーは、金属からなっていると共に、前記プラスチック材料からなる前記本体部に埋設されている固定部と、前記固定部からそれぞれ前記ピストンロッドと平行するように前記本体部の外側に延伸している１対の延伸壁と、前記１対の延伸壁の延伸端同士を繋いでいる端壁とを有し、前記１対の延伸壁と前記端壁とにより前記カートリッジを収容するカートリッジ収容空間が画成されていることを特徴とするコーキングガン。
【請求項２】
前記固定部は、前記本体部に埋設されていると共にその両端から前記１対の延伸壁がそれぞれ延伸しているベース壁として構成されており、
互いに所定の間隔を置いて平行に延伸している前記１対の延伸壁の両端がそれぞれ前記ベース壁および前記端壁により繋がれて前記ホルダーは環状を成している
ことを特徴とする請求項１に記載のコーキングガン。
【請求項３】
前記グリップユニットの前記本体部は、前記トリガー部が枢設されているグリップ部と、前記ピストン部の一部が収容されているチャンバー部とを有しており、
前記チャンバー部は、前記ホルダーに近い側の前端部と、その反対の後端部とから構成されており、
前記グリップ部は、前記チャンバー部における前記前端部と前記後端部の間に設けられており、
前記ホルダーの前記固定部は、前記チャンバー部の前記前端部に埋設されている
ことを特徴とする請求項１または２に記載のコーキングガン。
【請求項４】
前記ホルダーの前記固定部は、前記チャンバー部の前記前端部から前記後端部に亘って埋設されている
ことを特徴とする請求項３に記載のコーキングガン。
【請求項５】
前記グリップユニットの前記本体部は、前記チャンバー部の前記前端部から前記カートリッジ収容空間に向かって突出するように設けられているカートリッジ固定部材を有する
ことを特徴とする請求項３または４に記載のコーキングガン。
【請求項６】
前記カートリッジ固定部材は、前記ピストンロッドを挟んで対称になるようにそれぞれ各前記延伸壁と間隔をおいて平行に延伸している１対の固定壁を有する
ことを特徴とする請求項５に記載のコーキングガン。
【請求項７】
前記カートリッジ固定部材は、更に前記１対の固定壁同士を連結している補強リブを有する
ことを特徴とする請求項６に記載のコーキングガン。
【請求項８】
前記グリップ部は、使用者が前記グリップ部および前記トリガー部を握持した際に、当該使用者の親指の付け根部分に当接するサムレストが設けられている
ことを特徴とする請求項３〜７のいずれか一項に記載のコーキングガン。
【発明の詳細な説明】
【技術分野】
【０００１】
本発明は、コーキングガンに関し、特に軽量で且つ構造が強度であるコーキングガンに関するものである。
【背景技術】
【０００２】
コーキングガンとしては、一般に、特許文献１および特許文献２に示されているようなものが用いられている。これらは、使用者の把持に供するグリップ部分と、グリップ部分と繋がっておりシリコーンなどのコーキング材が充填される円筒状のカートリッジを保持するホルダー部分とが、構造強度の確保のためどちらも金属で構成されている。しかし、全体が金属製のため重量が重く、長時間の使用は使用者にとってきついものである。
【０００３】
そこで、図１および図２に示されているような、グリップ部分とホルダー部分とをプラスチックで構成することで軽量化されたコーキングガンも用いられている。このコーキングガン１は、本体１１と、本体１１の前端に嵌めて固定されたホルダー１２と、本体１１の前端から後端に挿差されて摺動可能に本体１１に支持されているロッド１３１を有するピストンユニット１３とを具えている。
【０００４】
本体１１は、プラスチック製であり、ロッド１３１が内に通されているチャンバー部１１１と、チャンバー部１１１の前端に設けられた係止部材１１２と、チャンバー部１１１に枢設されておりロッド１３１をホルダー１２側に向かって移動させることができるトリガー１１３とを有している。
【０００５】
ホルダー１２は、プラスチック製でカートリッジ１４を保持するためのものであり、その後端には本体１１の係止部材１１２と嵌り合うことができる係止溝１２１と、カートリッジ１４の後端を嵌め入れる固定環１２２が設けられている。
【０００６】
ピストンユニット１３のロッド１３１の先端には押圧プレート１３２が設けられており、トリガー１１３によりロッド１３１がホルダー１２側に押し出されると押圧プレート１３２がカートリッジ１４の内容物を押圧する。
【０００７】
上記のコーキングガン１は、上述のように本体１１とホルダー１２とがプラスチックからなっているので、全体の重量が金属製のものに比べて軽い。
【先行技術文献】
【特許文献】
【０００８】
【特許文献１】米国特許第５８７５９２０号公報
【特許文献２】米国特許第４０８１１１２号公報
【発明の概要】
【発明が解決しようとする課題】
【０００９】
しかしながら、上記のコーキングガン１は、本体１１とホルダー１２とが、係止部材１１２と係止溝１２１との嵌合により接続されているだけであり、使用の際に、トリガー１１３を引き寄せることで本体１１に設けられているロッド１３１をホルダー１２に保持されたカートリッジ１４を押圧する方向に前進させると、その応力が本体１１とホルダー１２とを引き離す方向に係止部材１１２と係止溝１２１とに印加される。係止部材１１２と係止溝１２１とはプラスチックにより形成されたものなので、応力が印加されると互いに引き離される方向に多少変形してしまい、その結果、ロッド１３１の前進距離が小さくなってしまい、カートリッジ１４の内容物への押圧が弱まってしまい、コーキングガンの操作に支障を来たす。
【００１０】
本発明は、このような従来技術の問題点に鑑みてなされたものであり、その目的は、軽量でありながらも構造強度が強化され操作がスムーズなコーキングガンの提供にある。
【課題を解決するための手段】
【００１１】
上記目的を達成するために、本発明は、以下の手段を提供する。即ち、使用者に把持されるグリップユニットと、コーキング材が充填されるカートリッジを保持するように前記グリップユニットから延伸して設けられたホルダーとを具えているコーキングガンであって、前記グリップユニットは、プラスチックからなっている本体部と、前記本体部に枢設されているトリガー部と、前記本体部に摺動可能に支持されているピストンロッドおよび前記ピストンロッドの一端に設けられている押圧プレートを有するピストン部と、を有しており、前記ホルダーは、前記本体部とは異なる材質からなっていると共に、前記本体部に埋設されている固定部と、前記固定部からそれぞれ前記ピストンロッドと平行するように前記本体部の外側に延伸している１対の延伸壁と、前記１対の延伸壁の延伸端同士を繋いでいる端壁とを有し、前記１対の延伸壁と前記端壁とにより前記カートリッジを収容するカートリッジ収容空間が画成されていることを特徴とするコーキングガンを提供する。
【発明の効果】
【００１２】
上記手段によれば、ホルダーの固定部が、プラスチックからなるグリップユニットの本体部に埋設されているので、ホルダーとグリップユニットの結合が強固である。よって、トリガー部を引き寄せてカートリッジの内容物を押し出す際にも、ホルダーとグリップユニットとが互いに離れる方向に動くことなく、トリガー部がピストンロッドを突き出す力が吸収されることなくそのままカートリッジの内容物に印加される。
【図面の簡単な説明】
【００１３】
【図１】従来のコーキングガンを示す分解側視図。
【図２】従来のコーキングガンを示す組立側視図。
【図３】本発明に係るコーキングガンの第１の実施形態を示す上視図。
【図４】図３におけるＩＶ−ＩＶ線に沿った断面図。
【図５】上記第１の実施形態の使用態様を示す側視図。
【図６】本発明に係るコーキングガンの第２の実施形態を示す分解側視図。
【図７】上記第２の実施形態を示す上視図。
【発明を実施するための形態】
【００１４】
以下、添付図面を参照しながら、本発明の具体的な実施形態を詳細に説明する。
【００１５】
（第１の実施形態）
図３、図４、図５には、本発明に係るコーキングガンの好ましい第１の実施形態が示されており、その内、図３は上視図、図４は図３におけるＩＶ−ＩＶ線に沿った断面図、図５は使用態様を示す側視図である。
【００１６】
本発明に係るコーキングガンは、コーキング材が充填されているカートリッジ２と組み合わせて用いるものであり、使用者に把持されるグリップユニット３と、カートリッジ２を収容するカートリッジ収容空間４４をその内側に画成するようにグリップユニット３から前後方向（即ち図３および図４における左右方向）に沿って延伸しているホルダー４とを具えている。
【００１７】
グリップユニット３は、プラスチックからなっている本体部５と、本体部５に枢接つまりヒンジ結合されているトリガー部７と、本体部５を上記前後方向に貫通しているピストンロッド６１を有するピストン部６とを具えている。
【００１８】
本体部５は、トリガー部７の上端側が枢接されているグリップ部５１と、ピストンロッド６１の一部が収容されているチャンバー部５２とを具えている。
【００１９】
チャンバー部５２は、ホルダー４に近い側、つまり前方側に位置する前端部５２１と、その反対側、つまり後方側に位置する後端部５２２とから構成されている。
グリップ部５１は、チャンバー部５２の前端部５２１と後端部５２２の間から上記前後方向と交わる上下方向における下方に延伸するように設けられており、且つ、図５に示されているように、使用者がトリガー部７に指を掛けるようにしてグリップ部５１を握った際に、該使用者の親指の付け根部分を収容して且つ該部分に上から当接するサムレスト５１１が陥設されている。
【００２０】
ピストン部６のピストンロッド６１は、上述のように本体部５を貫通していると共に本体部５に摺動可能に支持されており、そのカートリッジ収容空間４４内に位置する側の一端には押圧プレート６２が設けられている。
【００２１】
トリガー部７は、使用者にその下端側を後方に引き寄せられることでその上端側がピストンロッド６１をよりカートリッジ収容空間４４側に突き出るよう駆動できるように構成されている。なお、トリガー部の引き寄せによりピストンロッドを突き出るように移動させる機構は周知のものなのでここでは詳しい説明を省略する。
【００２２】
ホルダー４は、本体部５とは異なる材質からなっており、本体５の前端部５２１に埋設されている、つまり前端部５２１内に組み込まれるように本体５に固定されている固定部４１と、固定部４１からそれぞれピストンロッド６１を間に挟んでピストンロッド６１と平行するように本体部５の外側に延伸している１対の長尺状の延伸壁４２、４２と、これら１対の延伸壁４２、４２の延伸端同士を繋いでいる円盤状の端壁４３とを有しており、上記カートリッジ収容空間４４はこれら１対の延伸壁４２、４２および端壁４３とに囲まれるようにして画成されている。
【００２３】
なお、本実施形態において、図３に示されているように、固定部４１は、その両端から１対の延伸壁４２、４２がそれぞれ延伸しているベース壁として構成されており、該ベース壁、そこから互いに所定の間隔を置いて平行に延伸する１対の延伸壁４２、４２、延伸壁４２、４２の各延伸端を繋ぐ端壁４３とによりホルダー４は全体が一体となり上視で環状を成している。
【００２４】
また、本実施形態では、ホルダー４は全体が金属からなっており、固定部４１のみならず、固定部４１に近い延伸壁４２、４２の一部も本体部５の前端部５２１に埋設されている。なお、本実施形態では、本体部５をプラスチック材料による射出成形で形成する際に、金属からなる固定部４１および各延伸壁４２の固定部４１に近い側の一部が射出されたプラスチック材料に組み込まれるように一体に射出成形することで、上記埋設を果たした。
【００２５】
ホルダー４の材料として本実施形態では強度確保のため上述のように金属を用いたが、更なる軽量化のために金属以外の高強度材質、例えばガラス繊維強化プラスチックなどを用いてもかまわない。
【００２６】
また、本実施形態において、本体部５には更に、図３に示されているように、チャンバー部５２の前端部５２１からカートリッジ収容空間４４に向かって突出するカートリッジ固定部材５３が設けられている。
【００２７】
カートリッジ固定部材５３は、ピストンロッド６１を間に挟んで対称になるように且つそれぞれホルダー４の延伸壁４２と間隔をおいて平行に延伸している１対の固定壁５３１、５３１と、これら１対の固定壁５３１、５３１同士を連結している補強リブ５３２とを有する。
【００２８】
使用に際しては、ピストンロッド６１および押圧プレート６２を本体部５の後端部５２２側に引き込んでから、先端にノズルを有しコーキング材が充填されたカートリッジ２を、その後端がカートリッジ固定部材５３に嵌まり先端側がホルダー４の端壁４３に当接するようにしてカートリッジ収容空間４４に嵌め入れる。その後、使用者が親指の付け根をサムレスト５１１に当てるようにグリップ部５１およびトリガー部７を握った上で、トリガー部７を引き寄せると、ピストンロッド６１および押圧プレート６２がカートリッジ収容空間４４に突き出ることで押圧プレート６２がカートリッジ２の内容物を押圧する。
【００２９】
以上の構成により、本発明によれば、以下の効果が得られる。
カートリッジ２の内容物を押し出す際には、該内容物の応力によりカートリッジ２の先端を支える端壁４３がカートリッジ２に押されホルダー４全体に対して本体部５から離れる方向への力がかかるが、ホルダー４の固定部４１が本体部５に埋設されているので、上記従来のコーキングガンのように、ホルダー４および本体部５それぞれの接続部分が互いに離れる方向に変形することがなく、トリガー部７がピストンロッド６１を突き出す力が吸収されることなくそのままカートリッジ２の内容物に印加される。つまり、本発明に係るコーキングガンは、軽量ながらも本体部５とホルダー４の結合強度が高く操作がより安定している。
【００３０】
また、カートリッジ固定部材５３が設けられているので、カートリッジ２をカートリッジ収容空間４４に入れると、カートリッジ２の後端部がカートリッジ固定部材５３の固定壁５３１の内側に嵌り込み、操作時にカートリッジ２が押圧を受けてぐらつくことを防ぐことができる。
【００３１】
更に、グリップ部５１にサムレスト５１１が設けられているので、サムレスト５１１に親指の付け根を当てるようにグリップ部５１を握れば、トリガー部７を引き寄せる作業がしやすく、トリガー部７を引き寄せる動作を繰り返し行っても、使用者は疲れにくい。
【００３２】
（第２の実施形態）
図６および図７は、本発明に係るコーキングガンの好ましい第２の実施形態が示されており、その内、図６は分解状態を示す側視図、図７は組立状態を示す上視図である。
【００３３】
第２の実施形態は、上述した第１の実施形態に類似するが、本体部５とホルダー４との連結態様が異なっており、第１に実施形態ではホルダー４の固定部４１が、チャンバー部５２の前端部５３１に埋設されているのに対して、第２の実施形態では、チャンバー部５２の前端部５３１から後端部５２１に亘って、つまりチャンバー部５２の全体に埋設されている。これにより、ホルダー４と本体部５との連結がより強固になる。
【００３４】
以上、本発明の好ましい実施形態を説明したが、本発明はこれに限定されるものではなく、その要旨を逸脱しない範囲で種々変更可能であることはいうまでもない。
【産業上の利用可能性】
【００３５】
本発明に係るコーキングガンは、軽量ながらも本体部とホルダーの結合強度が高く操作がより安定なコーキングガンとして有用である。
【符号の説明】
【００３６】
２    カートリッジ
３    グリップユニット
４    ホルダー
４１    固定部
４２    延伸壁
４３    端壁
４４    カートリッジ収容空間
５    本体部
５１    グリップ部
５１１    サムレスト
５２    チャンバー部
５２１    前端部
５２２    後端部
５３    カートリッジ固定部材
５３１    固定壁
５３２    補強リブ
６    ピストン部
６１    ピストンロッド
６２    押圧プレート
７    トリガー部
【図１】
0006001574.tif 000002
【図２】
0006001574.tif 000003
【図３】
0006001574.tif 000004
【図４】
0006001574.tif 000005
【図５】
0006001574.tif 000006
【図６】
0006001574.tif 000007
【図７】
0006001574.tif 000008